(57)【要約】【課題】レイアウトの自由度を高めることができるエレベーターの操作パネルを提供する。【解決手段】エレベーターの操作パネルは、エレベーターの乗場またはかごの内部に設けられ、圧力がかかった際に電圧を変化させる繊維で作られた布地と、前記布地の繊維の電圧の変化に基づいて前記布地において圧力がかかった位置を検出する位置検出装置と、前記位置検出装置が前記布地において圧力がかかった位置を検出した際に当該位置に応じて前記エレベーターの制御内容を判定する判定装置と、を備えた。【選択図】図３
2018118844.tif 000002
【特許請求の範囲】
【請求項１】
エレベーターの乗場またはかごの内部に設けられ、圧力がかかった際に電圧を変化させる繊維で作られた布地と、
前記布地の繊維の電圧の変化に基づいて前記布地において圧力がかかった位置を検出する位置検出装置と、
前記位置検出装置が前記布地において圧力がかかった位置を検出した際に当該位置に応じて前記エレベーターの制御内容を判定する判定装置と、
を備えたエレベーターの操作パネル。
【請求項２】
前記布地の裏面の側に設けられ、前記布地の表面の側に前記エレベーターの制御内容に対応した釦の画像を透過させる表示装置、
を備えた請求項１に記載のエレベーターの操作パネル。
【請求項３】
前記布地の表面の側に設けられ、前記布地の表面の側に前記エレベーターの制御内容に対応した釦の画像を投影する投影装置、
を備えた請求項１に記載のエレベーターの操作パネル。
【請求項４】
前記布地の表面の側に貼られ、前記エレベーターの制御内容に対応した釦の画像が描かれたシール、
を備えた請求項１に記載のエレベーターの操作パネル。
【請求項５】
前記布地は、表面の側に前記エレベーターの制御内容に対応した釦の画像が印刷された請求項１に記載のエレベーターの操作パネル。
【請求項６】
請求項１から請求項５のいずれか一項に記載の操作パネルの判定結果に基づいてエレベーターを制御する制御装置、
を備えたエレベーターシステム。
【発明の詳細な説明】
【技術分野】
【０００１】
この発明は、エレベーターの操作パネルおよびエレベーターシステムに関する。
【背景技術】
【０００２】
特許文献１は、エレベーターの操作パネルを開示する。当該操作パネルは、タッチパネルディスプレイへの接触位置に基づいてエレベーターの制御内容を判定する。
【先行技術文献】
【特許文献】
【０００３】
【特許文献１】特許第４３１２７２２号公報
【発明の概要】
【発明が解決しようとする課題】
【０００４】
しかしながら、特許文献１に記載の操作パネルにおいては、ディスプレイ等の構成物の形に制約がある。このため、操作パネルのレイアウトの自由度が低い。
【０００５】
この発明は、上述の課題を解決するためになされた。この発明の目的は、レイアウトの自由度を高めることができるエレベーターの操作パネルおよびエレベーターシステムを提供することである。
【課題を解決するための手段】
【０００６】
この発明に係るエレベーターの操作パネルは、エレベーターの乗場またはかごの内部に設けられ、圧力がかかった際に電圧を変化させる繊維で作られた布地と、前記布地の繊維の電圧の変化に基づいて前記布地において圧力がかかった位置を検出する位置検出装置と、前記位置検出装置が前記布地において圧力がかかった位置を検出した際に当該位置に応じて前記エレベーターの制御内容を判定する判定装置と、を備えた。
【０００７】
この発明に係るエレベーターシステムは、前記操作パネルの判定結果に基づいてエレベーターを制御する制御装置、を備えた。
【発明の効果】
【０００８】
これらの発明によれば、前記布地において圧力がかかった位置に応じてエレベーターの制御内容が判定される。このため、操作パネルのレイアウトの自由度を高めることができる。
【図面の簡単な説明】
【０００９】
【図１】この発明の実施の形態１におけるエレベーターの操作パネルが適用されるエレベーターシステムの構成図である。
【図２】この発明の実施の形態１におけるエレベーターの操作パネルが適用されるかご操作盤の正面図である。
【図３】この発明の実施の形態１におけるエレベーターの操作パネルが適用されるかご操作盤の要部の正面図である。
【図４】この発明の実施の形態１におけるエレベーターの操作パネルが適用されるかご操作盤の要部の拡大正面図である。
【図５】この発明の実施の形態１におけるエレベーターの操作パネルが適用されるかご操作盤の要部の拡大正面図である。
【図６】この発明の実施の形態１におけるエレベーターの操作パネルが適用されるかご操作盤の要部の側面である。
【図７】この発明の実施の形態１におけるエレベーターの操作パネルが適用されるかご操作盤の動作を説明するためのフローチャートである。
【図８】この発明の実施の形態１におけるエレベーターの操作パネルが適用されるかご操作盤の第１位置検出装置のハードウェア構成図である。
【図９】この発明の実施の形態２におけるエレベーターの操作パネルが適用されるかご操作盤の要部の正面図である。
【図１０】この発明の実施の形態３におけるエレベーターの操作パネルが適用されるかご操作盤の要部の正面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１はこの発明の実施の形態１におけるエレベーターの操作パネルが適用されるエレベーターシステムの構成図である。
【００１２】
図１に示されるように、建築物は、複数の階を備える。建築物は、エレベーターを備える。
【００１３】
例えば、昇降路１は、建築物の各階を貫く。例えば、機械室２は、昇降路１の直上に設けられる。例えば、複数の乗場３の各々は、建築物の各階に設けられる。複数の乗場３の各々は、昇降路１に対向する。
【００１４】
例えば、巻上機４は、機械室２に設けられる。例えば、主ロープ５は、巻上機４に巻き掛けられる。例えば、かご６は、昇降路１の内部に設けられる。かご６は、主ロープ５の一側に支持される。釣合オモリ７は、昇降路１の内部に設けられる。釣合オモリ７は、主ロープ５の他側に支持される。
【００１５】
例えば、複数の乗場釦装置８の各々は、操作パネルとして複数の乗場３の各々に設けられる。例えば、かご操作盤９は、操作パネルとしてかご６の内部に設けられる。例えば、かご上ステーション１０は、かご６の天井に設けられる。例えば、制御装置１１は、機械室２に設けられる。
【００１６】
エレベーターにおいて、乗場釦装置８が操作されると、乗場呼びが登録される。かご操作盤９が操作されると、かご呼びが登録される。制御装置１１は、登録された乗場呼びまたかご呼びに基づいて巻上機４を回転させる。主ロープ５は、巻上機４の回転に追従して移動する。かご６と釣合オモリ７とは、主ロープ５の移動に追従して互いに反対方向に昇降する。その結果、かご６は、乗場呼びまたはかご呼びに応じた移動を行う。
【００１７】
次に、図２を用いて、かご操作盤９の概要を説明する。
図２はこの発明の実施の形態１におけるエレベーターの操作パネルが適用されるかご操作盤の正面図である。
【００１８】
図２に示されるように、かご操作盤９は、表面の側に複数の釦の画像を表示する。かご操作盤９は、釦の画像が押された際に当該釦の種類に応じた制御信号を出力する。
【００１９】
例えば、「１」の釦の画像が押されると、１階のかご呼びに対応した制御信号が出力される。例えば、「２」の釦の画像が押されると、２階のかご呼びに対応した制御信号が出力される。例えば、「３」の釦の画像が押されると、３階のかご呼びに対応した制御信号が出力される。例えば、「４」の釦の画像が押されると、４階のかご呼びに対応した制御信号が出力される。例えば、「５」の釦の画像が押されると、５階のかご呼びに対応した制御信号が出力される。例えば、「６」の釦の画像が押されると、６階のかご呼びに対応した制御信号が出力される。
【００２０】
例えば、「開」の釦の画像が押されると、エレベーターの戸開信号が出力される。例えば、「閉」の釦の画像が押されると、エレベーターの戸閉信号が出力される。
【００２１】
次に、図３を用いて、かご操作盤９の要部を説明する。
図３はこの発明の実施の形態１におけるエレベーターの操作パネルが適用されるかご操作盤の要部の正面図である。
【００２２】
図３に示されるように、かご操作盤９は、布地１２と一対の第１位置検出装置１３と一対の第２位置検出装置１４と一対の判定装置１５とを備える。
【００２３】
布地１２は、複数の第１繊維１２ａと複数の第２繊維１２ｂとを備える。複数の第１繊維１２ａの各々は、導電性を備える。複数の第１繊維１２ａは、長手方向を鉛直方向とする。複数の第１繊維１２ａは、互いに平行である。複数の第２繊維１２ｂの各々は、導電性を備える。複数の第２繊維１２ｂは、長手方向を水平方向とする。複数の第２繊維１２ｂは、互いに平行である。
【００２４】
一対の第１位置検出装置１３の一方は、かご操作盤９の上部の一側に設けられる。一対の第１検出装置１３の他方は、かご操作盤９の上部の他側に設けられる。
【００２５】
一対の第２位置検出装置１４の一方は、かご操作盤９の一側に設けられる。一対の第２検出装置１４の他方は、かご操作盤９の他側に設けられる。
【００２６】
一対の判定装置１５の一方は、かご操作盤９の上部において一対の第２位置検出装置１４の一方の外側に設けられる。一対の判定装置１５の他方は、かご操作盤９の上部において一対の第２位置検出装置１４の他方の外側に設けられる。
【００２７】
複数の第１繊維１２ａの各々は、圧力がかかった際に電圧を変化させる。複数の第２繊維１２ｂは、圧力がかかった際に電圧を変化させる。
【００２８】
一対の第１位置検出装置１３の一方は、かご操作盤９の一側において電圧を変化させた第１繊維１２ａを検出する。一対の第１位置検出装置１３の他方は、かご操作盤９の他側において電圧を変化させた第１繊維１２ａを検出する。一対の第２位置検出装置１４の一方は、かご操作盤９の一側において電圧を変化させた第２繊維１２ｂを検出する。一対の第２位置検出装置１４の他方は、かご操作盤９の他側において電圧を変化させた第２繊維１２ｂを検出する。
【００２９】
一対の判定装置１５の一方は、一対の第１位置検出装置１３の一方の検出結果と一対の第２位置検出装置１４の一方の検出結果とに基づいてエレベーターの制御内容を判定する。一対の判定装置１５の他方は、一対の第１位置検出装置１３の他方の検出結果と一対の第２位置検出装置１４の他方の検出結果とに基づいてエレベーターの制御内容を判定する。
【００３０】
次に、図４と図５とを用いて、圧力がかかった位置の検出方法を説明する。
図４と図５はこの発明の実施の形態１におけるエレベーターの操作パネルが適用されるかご操作盤の要部の拡大正面図である。
【００３１】
図４に示されるように、複数の第１繊維１２ａと複数の第２繊維１２ｂとは、座標化される。例えば、複数の第１繊維１２ａの各々には、「ａ」、「ｂ」、「ｃ」、「ｄ」等のアルファベットが割り当てられる。例えば、複数の第２繊維１２ｂの各々には、「１」、「２」、「３」、「４」、「５」等の数字が割り当てられる。
【００３２】
図５に示されるように、第１位置検出装置１３は、複数の第１繊維１２ａのうちで電圧が変化した第１繊維１２ａを検出する。第２位置検出装置１４は、複数の第２繊維１２ｂのうちで電圧が変化した第２繊維１２ｂを検出する。丸印の位置が操作された場合、第１位置検出装置１３は、「ｂ」の第１繊維１２ａの電圧が変化したことを検出する。第２位置検出装置１４は、「２」の第２繊維１２ｂの電圧が変化したことを検出する。
【００３３】
次に、図６を用いて、釦の画像の表示方法を説明する。
図６はこの発明の実施の形態１におけるエレベーターの操作パネルが適用されるかご操作盤の要部の側面である。
【００３４】
図６に示されるように、かご操作盤９は、表示装置１６を備える。例えば、表示装置１６は、アレイ状に並べられた複数の発光ダイオードを備える。表示装置１６は、布地１２の裏面の側に設けられる。
【００３５】
表示装置１６は、釦の画像に対応した光を布地１２に向けて発する。当該光は、布地１２を透過する。その結果、制御内容に対応した釦の画像が布地１２の表面に表示される。例えば、釦の枠の中に階床に対応した数字の画像が表示される。
【００３６】
次に、図７を用いて、かご操作盤９の動作を説明する。
図７はこの発明の実施の形態１におけるエレベーターの操作パネルが適用されるかご操作盤の動作を説明するためのフローチャートである。
【００３７】
ステップＳ１では、かご操作盤９は、第１繊維１２ａおよび第２繊維１２ｂの電圧が変化したか否かを判定する。ステップＳ１で第１繊維１２ａおよび第２繊維１２ｂの電圧が変化していない場合、かご操作盤９は、ステップＳ１の動作を繰り返す。ステップＳ１で第１繊維１２ａおよび第２繊維１２ｂの電圧が変化した場合、かご操作盤９は、ステップＳ２の動作を行う。
【００３８】
ステップＳ２では、かご操作盤９は、第１繊維１２ａおよび第２繊維１２ｂの電圧の変化に基づいて布地１２において圧力がかかった位置を検出する。その後、かご操作盤９は、ステップＳ３の動作を行う。ステップＳ３では、かご操作盤９は、布地１２において圧力がかかった位置に基づいてエレベーターの制御内容を判定する。その後、かご操作盤９は、ステップＳ４の動作を行う。
【００３９】
ステップＳ４では、かご操作盤９は、ステップＳ３で判定したエレベーターの制御内容に対応した制御信号をかご上ステーション１０に無線で送信する。当該制御信号は、制御ケーブルを介して制御装置１１に送信される。その後、かご操作盤９は、ステップＳ１の動作を行う。
【００４０】
以上で説明した実施の形態１によれば、布地１２において圧力がかかった位置に応じてエレベーターの制御内容が判定される。このため、曲面、凹凸面にかご操作盤９を設置しても、エレベーターの制御内容を判定することができる。その結果、かご操作盤９のレイアウトと意匠性との自由度を高めることができる。
【００４１】
また、布地１２の内部には、構造物がない。このため、かご操作盤９の設計と製作と組立とを簡素化することができる。
【００４２】
また、布地１２は、軽い。このため、かご操作盤９を軽くすることができる。その結果、かご６の重量を軽くすることができる。さらに、布地１２は、柔軟性を有する。このため、布地１２をまるめて収納することができる。その結果、かご操作盤９の運送と組立との負担を軽減することができる。さらに、かご操作盤９の搬送中における対物破損等を抑制することができる。加えて、かご操作盤９を更新する際の負担も軽減することができる。このため、エレベーターの工期を削減することができる。その結果、エレベーターの所有者の負担を軽減することができる。
【００４３】
また、表示装置１６は、布地１２の表面の側にエレベーターの制御内容に対応した釦の画像を透過させる。このため、利用者に対して、操作すべき位置を確実に示すことができる。
【００４４】
なお、布地１２の表面の側から投影装置を用いて布地１２の表面の側にエレベーターの制御内容に対応した釦の画像を投影してもよい。この場合も、利用者に対して、操作すべき位置を確実に示すことができる。
【００４５】
また、表示装置１６または投影装置により状況に応じて表示内容を種々の内容に変更してもよい。例えば、釦の大きさまたは表示位置を自由に変更してもよい。例えば、釦に対応した制御内容を行なわない場合に、当該釦の画像を表示しないようにしてもよい。例えば、緊急時において緊急時を示す画像を表示してもよい。
【００４６】
また、布地１２の表面の側にエレベーターの制御内容に対応した釦の画像が描かれたシールを貼ってもよい。この場合も、利用者に対して、操作すべき位置を確実に示すことができる。
【００４７】
また、布地１２の表面の側にエレベーターの制御内容に対応した釦の画像を印刷してもよい。この場合も、利用者に対して、操作すべき位置を確実に示すことができる。
【００４８】
また、制御装置１１は、かご操作盤９の判定結果に基づいてエレベーターを制御する。このため、利用者の希望に応じてエレベーターを適切に制御することができる。
【００４９】
次に、図８を用いて、第１位置検出装置１３の例を説明する。
図８はこの発明の実施の形態１におけるエレベーターの操作パネルが適用されるかご操作盤の第１位置検出装置のハードウェア構成図である。
【００５０】
第１位置検出装置１３の各機能は、処理回路により実現し得る。例えば、処理回路は、少なくとも１つのプロセッサ１７ａと少なくとも１つのメモリ１７ｂとを備える。例えば、処理回路は、少なくとも１つの専用のハードウェア１８を備える。
【００５１】
処理回路が少なくとも１つのプロセッサ１７ａと少なくとも１つのメモリ１７ｂとを備える場合、第１位置検出装置１３の各機能は、ソフトウェア、ファームウェア、またはソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１７ｂに格納される。少なくとも１つのプロセッサ１７ａは、少なくとも１つのメモリ１７ｂに記憶されたプログラムを読み出して実行することにより、第１位置検出装置１３の各機能を実現する。少なくとも１つのプロセッサ１７ａは、ＣＰＵ（Ｃｅｎｔｒａｌ  Ｐｒｏｃｅｓｓｉｎｇ  Ｕｎｉｔ）、中央処理装置、処理装置、算出装置、マイクロプロセッサ、マイクロコンピュータ、ＤＳＰともいう。例えば、少なくとも１つのメモリ１７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００５２】
処理回路が少なくとも１つの専用のハードウェア１８を備える場合、処理回路は、例えば、単一回路、複合回路、プログラム化したプロセッサ、並列プログラム化したプロセッサ、ＡＳＩＣ、ＦＰＧＡ、ＰＬＤ、ＣＰＬＤまたはこれらを組み合わせたものである。例えば、第１位置検出装置１３の各機能は、それぞれ処理回路で実現される。例えば、第１位置検出装置１３の各機能は、まとめて処理回路で実現される。
【００５３】
第１位置検出装置１３の各機能について、一部を専用のハードウェア１８で実現し、他部をソフトウェアまたはファームウェアで実現してもよい。例えば、第１繊維１２ａの電圧の変化を検出する機能については専用のハードウェア１８としての処理回路で実現し、第１繊維１２ａの電圧の変化を検出する機能以外の機能については少なくとも１つのプロセッサ１７ａが少なくとも１つのメモリ１７ｂに格納されたプログラムを読み出して実行することにより実現してもよい。
【００５４】
このように、処理回路は、ハードウェア１８、ソフトウェア、ファームウェア、またはこれらの組み合わせによって、第１位置検出装置１３の各機能を実現する。
【００５５】
なお、図示されないが、第２位置検出装置１４の各機能も、第１位置検出装置１３の各機能を実現する処理回路と同等の処理回路で実現し得る。判定装置１５の各機能も、第１位置検出装置１３の各機能を実現する処理回路と同等の処理回路で実現し得る。制御装置１１の各機能も、第１位置検出装置１３の各機能を実現する処理回路と同等の処理回路で実現し得る。
【００５６】
実施の形態２．
図９はこの発明の実施の形態２におけるエレベーターの操作パネルが適用されるかご操作盤の要部の正面図である。なお、実施の形態１と同一又は相当部分には、同一符号が付される。当該部分の説明は省略される。
【００５７】
実施の形態１の第２位置検出装置１４の位置は、固定される。これに対し、実施の形態２の第２位置検出装置１４の位置は、固定されない。実施の形態２において、第２位置検出装置１４の高さ方向の寸法は、釦の画像の高さ方向の寸法に合わせて設定される。第２位置検出装置１４は、釦の画像の位置に合わせて配置を変え得るように設けられる。
【００５８】
以上で説明した実施の形態２によれば、第２位置検出装置１４は、釦の画像の位置に合わせて配置を変え得るように設けられる。このため、かご操作盤９の高さ方向に対して全体的に第２位置検出装置１４を配置する必要がない。その結果、第２位置検出装置１４を小さくすることができる。
【００５９】
実施の形態３．
図１０はこの発明の実施の形態３におけるエレベーターの操作パネルが適用されるかご操作盤の要部の正面図である。なお、実施の形態１と同一又は相当部分には、同一符号が付される。当該部分の説明は省略される。
【００６０】
実施の形態３において、第２位置検出装置１４の位置は、固定される。釦の画像は、第２位置検出装置１４の位置に対応して表示される。
【００６１】
以上で説明した実施の形態３によれば、釦の画像は、第２位置検出装置１４の位置に対応して表示される。このため、圧力がかかったことを検出すべき位置が限定されることにより、第１繊維１２ａと第２繊維１２ｂとの量を減らすことができる。その結果、布地１２の価格を抑えることができる。
【００６２】
なお、実施の形態１から実施の形態３において、乗場釦装置８の構成をかご操作盤９と同様の構成としてもよい。この場合、乗場釦装置８のレイアウトの自由度を高めることができる。
【符号の説明】
【００６３】
１  昇降路、  ２  機械室、  ３  乗場、  ４  巻上機、  ５  主ロープ、  ６  かご、  ７  釣合オモリ、  ８  乗場釦装置、  ９  かご操作盤、  １０  かご上ステーション、  １１  制御装置、  １２  布地、  １２ａ  第１繊維、  １２ｂ  第２繊維、  １３  第１位置検出装置、  １４  第２位置検出装置、  １５  判定装置、  １６  表示装置、  １７ａ  プロセッサ、  １７ｂ  メモリ、  １８  ハードウェア
【図１】
2018118844.tif 000003
【図２】
2018118844.tif 000004
【図３】
2018118844.tif 000005
【図４】
2018118844.tif 000006
【図５】
2018118844.tif 000007
【図６】
2018118844.tif 000008
【図７】
2018118844.tif 000009
【図８】
2018118844.tif 000010
【図９】
2018118844.tif 000011
【図１０】
2018118844.tif 000012